(57)【要約】  患者のストーマの大きさを調節するための自己制御式胃バンド装置。この装置は、流体を受容するルーメンまたはキャビティを含む内側拡張可能リングを有する調整可能な胃バンドを有する。バンド調節アセンブリは、胃バンドとともに移植されるセンサであって、胃バンド、特に内側拡張可能リングの特性を検出するセンサを有する。このバンド調節アセンブリは、内側拡張可能リングのルーメンに接続され、検出された胃バンドの特性に基づいて、ルーメン内の流体の容量を調節するようにポンプアセンブリを操作するコントローラに接続される。バンド調節アセンブリは、特定のバンド特性の動作範囲を記憶するメモリを有し、ポンプアセンブリは、検出されたバンドパラメータが動作範囲内に維持されるように操作される。
2009522044.tif 000002
【特許請求の範囲】
【請求項１】
ストーマの大きさを調節するための自己制御式胃バンド装置であって、
患者の体内に配置され、患者の食道および／または胃に係合する胃バンドであって、流体を受容するルーメンを含む拡張可能部品を有する胃バンドと、
患者の体内の胃バンドの近くに配置されたバンド調節アセンブリとを備え、
バンド調節アセンブリは、
胃バンドの特性を検出するセンサと、
拡張可能部品のルーメンと流体連通するポンプアセンブリと、
センサで検出された胃バンドの特性に基づいて、ルーメン内の流体の容量を調節するようにポンプアセンブリを操作するコントローラとを有することを特徴とする装置。
【請求項２】
請求項１に記載の装置であって、
センサは、拡張可能部品のルーメン内の流体の圧力を検出する圧力センサを含むことを特徴とする装置。
【請求項３】
請求項２に記載の装置であって、
コントローラは、検出された流体の圧力が圧力下限値より低くなったとき、ルーメン内の流体の容量を増大させ、検出された流体の圧力が圧力上限値より高くなったとき、ルーメン内の流体の容量を減少させるようにポンプアセンブリを操作することを特徴とする装置。
【請求項４】
請求項３に記載の装置であって、
バンド調節アセンブリが圧力下限値および圧力上限値を記憶するためのメモリを有し、
コントローラまたはセンサが検出された流体の圧力が圧力下限値および圧力上限値の間にあるか否かを判断し、
コントローラは、検出された流体の圧力が圧力下限値および圧力上限値の間の予め設定された値に達したと判断されるまでポンプアセンブリを操作することを特徴とする装置。
【請求項５】
請求項３に記載の装置であって、
患者の外部にあるモニタデバイスからの指令信号を受信するための通信モジュールをさらに有し、
指令信号は新規の圧力下限値または圧力上限値の少なくとも一方であり、コントローラまたはセンサが次に検出される流体の圧力について判断する際に用いられるようにメモリ内に前記新規の圧力下限値または圧力上限値を記憶されることを特徴とする装置。
【請求項６】
請求項５に記載の装置であって、
コントローラは、記憶された圧力下限値または圧力上限値、および胃バンドまたは患者に関する他のデータを含むメモリ内に記憶された情報を収集し、外部モニタデバイスからの要求に応じて、収集された情報を通信モジュールを介して外部モニタデバイスに送信するように操作することを特徴とする装置。
【請求項７】
請求項１に記載の装置であって、
ルーメン内の流体の容量を調節する際に用いられる所定容量の流体を保管するように構成された、患者の体内に移植される流体リザーバをさらに有し、
流体リザーバはポンプアセンブリと流体連通することを特徴とする装置。
【請求項８】
請求項７に記載の装置であって、
流体リザーバは、バンド調節アセンブリに付随する胃バンド内の包囲されたルーメン内に配設されたことを特徴とする装置。
【請求項９】
請求項１に記載の装置であって、
センサは周期的に特性を検出するとともに、コントローラまたは外部モニタデバイスからの制御信号に呼応して特性を検出することを特徴とする装置。
【請求項１０】
請求項１に記載の装置であって、
バンド調節アセンブリのコントローラと通信し、ポンプアセンブリを操作するための指令を送信し、そしてバンド調節アセンブリのコントローラが収集した情報を回収するローカルコントローラをさらに有し、
ローカルコントローラは、指令信号を受信し、収集された情報の少なくとも一部をリモートコントローラ機構へ転送するために、リモートコントローラ機構との通信リンクを形成するように構成されることを特徴とする装置。
【請求項１１】
請求項１０に記載の装置であって、
通信リンクは、無線データ転送リンクであり、
この装置は、無線データ転送リンクを提供する電話システムにリンク接続可能なクレードルをさらに有し、
ローカルコントローラは、無線データ転送リンクおよび電話システムを介して、そしてクレードルを通じてリモートコントローラ機構と通信することを特徴とする装置。
【請求項１２】
自己制御式胃バンド装置であって、
患者の胃に係合し、キャビティを含む拡張可能部品を有する胃バンドであって、キャビティ内の流体量に伴って変化する容量を有する胃バンドと、
拡張可能部品に関連する物理的パラメータを検出する手段と、
キャビティ内の流体の容量を調節するための手段とを備え、
前記調節手段は、検出された物理的パラメータが物理的パラメータの動作範囲から外れたか否かを判断し、外れたと判断した場合には、検出された物理的パラメータが動作範囲内に収まるまで流体の容量を増減させることを特徴とする装置。
【請求項１３】
請求項１２に記載の装置であって、
前記調節手段は、
動作範囲を定義する下限値および上限値、ならびにリセットポイントを記憶するためのメモリと、
物理的パラメータがリセットポイントにほぼ達したことを前記検出手段が検出するまで、拡張可能部品のキャビティ内に追加的な容量の流体をポンプ送出するように選択的に作動するポンプとを有することを特徴とする装置。
【請求項１４】
請求項１３に記載の装置であって、
前記検出手段は、キャビティ内の流体の圧力を検出するように配置された圧力センサを有し、
下限値および上限値、ならびにリセットポイントは、圧力値であることを特徴とする装置。
【請求項１５】
請求項１２に記載の装置であって、
前記調節手段は、電源と、コントローラと、流体リザーバと、流体リザーバおよびキャビティと流体連通するポンプと、ポンプおよびキャビティと流体連通する少なくとも１つのチェックバルブとを有し、
コントローラは、電源により電力供給されたポンプを操作して、流体を流体リザーバからキャビティへポンプ送出し、キャビティ内の流体の容量を増大させるとともに、少なくとも１つのチェックバルブ開口してキャビティ内の流体の容量を減少させることを特徴とする装置。
【請求項１６】
請求項１５に記載の装置であって、
前記調節手段および前記検出手段を包囲する防液性を有する生体適合性材料からなる壁部を用いて形成されるハウジングをさらに有することを特徴とする装置。
【請求項１７】
請求項１２に記載の装置であって、
前記調節手段と無線通信して、検出された物理的パラメータを収集し、物理的パラメータの動作範囲を収集し、この動作範囲を変更する手段をさらに有することを特徴とする装置。
【請求項１８】
請求項１２に記載の装置であって、
胃バンドは、流体を格納する流体リザーバを形成するシェルをさらに有し、
前記調節手段は、流体リザーバと拡張可能部品のキャビティとの間で流体を搬送して、キャビティの容量を増減させるための手段を有することを特徴とする装置。
【請求項１９】
調節可能な胃バンドを用いて肥満を治療するための方法であって、
患者の胃および／または食道に係合する内側拡張可能リングを含む胃バンドと、生体適合性の筐体内に設けられたバンド調節システムとを備えた自己制御式胃バンドアセンブリを患者の体内に配置してストーマを形成するステップと、
胃バンドの特性に対する動作範囲を設定するステップとを有し、
バンド調節システムは、オペレータが介在することなく、
胃バンドの特性を検出し、
検出された胃バンドの特性と動作範囲を比較し、
胃バンドの特性が動作範囲内に収まるように、比較結果に基づいて内側拡張可能リング内の流体の容量を調節することを特徴とする方法。
【請求項２０】
請求項１９に記載の方法であって、
バンド調節システムは、センサ、ポンプアセンブリおよびコントローラを有し、胃バンドの特性の検出はセンサにより行い、検出された胃バンドの特性と動作範囲との比較は、センサまたはコントローラが行い、バンド調節システムの操作にはコントローラからポンプアセンブリへ信号を送信することを含むことを特徴とする方法。
【請求項２１】
請求項２０に記載の方法であって、
胃バンドは、流体リザーバを形成する外側リングを有し、
ポンプアセンブリは、流体リザーバおよび内側拡張可能リングと流体連通し、コントローラからの信号に基づいて、流体を流体リザーバから内側拡張可能リングに搬送することを特徴とする方法。
【請求項２２】
請求項２０に記載の方法であって、
バンド調節システムは、患者の腹部の外側にあるデバイスと無線通信する手段と、作動範囲を定義する上限値および下限値を記憶するメモリとを有し、
この方法は、外部デバイスを操作し、通信手段を用いて上限値および下限値をメモリから収集し、メモリに記憶された上限値および下限値のうちの少なくとも一方を変更するステップをさらに有することを特徴とする方法。
【請求項２３】
請求項２２に記載の方法であって、
外部デバイスは一対のコントローラを有し、
この方法は、有線および／または無線で通信して、メモリから収集された上限値および下限値ならびに他の情報を交換するともに、操作ステップにおいて、メモリに記憶された上限値および下限値のうちの少なくとも一方を変更するために用いられる指令信号を交換することを特徴とする方法。
【発明の詳細な説明】
【技術分野】
【０００１】
本発明は、一般に、肥満を制御するための装置および方法に関し、とりわけ患者のストーマの大きさを継続的に調節するために、胃バンドの大きさ、すなわち内径を自らモニタし、調節するように構成された胃バンドあるいは胃バンドアセンブリ／胃バンドシステム、およびこれに関連する方法に関する。
【背景技術】
【０００２】
重症の肥満は、ますます蔓延する慢性疾患であり、患者が自らダイエットし、医者にとって患者にダイエットおよびエクササイズを続けるように指導することは困難である。医者は消化管手術を行い、極端に肥満し、従来式手法では減量できない人々や、重症肥満に付随する健康問題を抱えている人々を治療する。一般には、消化管手術により食物摂取を規制することにより減量が促進され、とりわけ規制手術は、胃の上側部分からより大きい下側部分までの間に、胃が収容できる食物量を減らし、食物が胃を通過する速度を緩めるための狭小通路または「ストーマ（stoma：小孔）」を形成することにより、食物摂取を制限するものである。当初、ストーマは固定した大きさであったが、近年、ストーマを調節して大きさを変更すれば、この施術はより効果的であることを医者は見出した。
【０００３】
これらの純粋に規制する手術のために広く用いられたものの１つには、調節式胃緊縛術（Adjustable Gastric Banding；ＡＧＢ）である。例示的なＡＧＢ術において、シリコーンエラストマ製の中空バンド（すなわち胃バンド）を胃の上端部の周りに配置して、小さいポーチ（小袋）と、胃の残りの部分に至る狭小通路（すなわちストーマ）とを形成する。そして、中実芯と、皮下に設けた微小孔にアクセスするためのシリンジとを用いて、バンドを生理食塩水で膨張させる。ストーマの大きさを制御するために、すなわち通路またはストーマの大きさを変えるために、医者または他の技術者は、アクセスポートを介してバンド内の整理食塩水の量を増減させることにより、体外から操作して胃バンドを所定時間、締め付け、かつ緩めることができる。
【０００４】
最初のストーマ寸法の決定後に胃バンドを微調節すると、調節式胃緊縛術において有効な改善が見られることが確認されている。しかしながら、胃バンドを調節すべき時期や、所望のストーマ寸法を得るためにバンドの寸法または直径を増減させる程度を継続的に判断する上で問題がある。これまで、医者または他の技術者が移植された胃バンドを調節できるように数多くの移植された胃バンドが開発されてきた。バンドシステムは、一般に、患者に関するパラメータを測定または特定するためのセンサを有し、これに呼応して、医者または技術者が患者のパラメータに基づいて流体量を調節するように行動する。たとえば、１つの調節可能な胃バンドシステムは、患者の胃内圧が所定の限界値を超えたことを判断して、外部制御デバイスに警告を発する。このとき、医者または他の技術者は、外部アクセスポートおよび充填ラインを介してバンドから流体量を取り除くことにより、胃バンドを緩めるように行動する。別の胃バンドシステムにおいては、胃バンドの大きさを調節する構成部品が患者に移植され、この患者の胃内圧や身体的状態などの患者に関する物理的パラメータが特定され、患者の体外にある外部制御ユニットを操作して、移植部品を駆動して、たとえばバンドから所定量の流体を追加または除去することにより、バンドの大きさを調節する。
【０００５】
既存の調節可能な胃バンドは、その制御において改善が見られるものの、患者の要望に応えるものではない。１つの理由として、既存の調節可能な胃バンドによれば、胃バンドおよび形成されたストーマの大きさを、医者または他の技術者が外部制御ユニットを用いて調節する必要があることにある。別の理由として、患者に関するパラメータの検出、およびこれに付随してストーマの大きさを関連付けの際の信頼性および精度が不十分であることに起因することである。さらに、いくつかの既存の調節可能な胃バンドによれば、胃の上または胃の外側など、患者の体内に胃内圧を特定するためのセンサを埋め込む必要がある。従来技術のこれらの問題点および他の問題点に起因して、肥満治療を受ける患者のストーマの大きさを調節するための改善された胃バンドシステムおよび関連方法に対する要請がある。
【発明の開示】
【発明が解決しようとする課題】
【０００６】
本発明は、上述の問題点および他の問題点を解決するためになされたもので、肥満患者に移植され、周期的または継続的にストーマの大きさを自動的に調節するための自己制御式胃バンドシステムを提供するものである。このシステムは、いくつかの実施形態では「自己制御式」てあり、移植された胃バンドの特性またはパラメータを検出するためのセンサと、検出されたバンドの特性に呼応して拡張可能胃バンドの大きさを調節するバンド調節アセンブリまたはシステムとを有する。たとえば、臨床医または開業医は、移植する前または後において、外部制御デバイスを介して特性の動作範囲をメモリ内に設定することができる。このセンサは、周期的に、継続的に、あるいはバンド特性（内側拡張可能リングまたはバンド部材の内部の流体圧力など）を検出するように起動される毎に作動する。センサまたはコントローラは、バンドが所望の範囲内であるか否かを判断して、範囲内になければ、たとえば、流体を流体リザーバと内側拡張可能リングの間で移動させるようにポンプアセンブリを操作することにより、バンドの大きさを調節して、バンドまたはその検出された特性が元の動作範囲内に収まるように操作する。この自己制御式の胃バンドシステムは、通常、胃バンドおよび局所電源とともに移植されるシステム構成部品を包囲するハウジングを有し、この電源は、ポンプ、センサおよびコントローラなどのさまざまなシステム構成部品に電力を供給する。このように、胃バンドシステムの実施形態は、肥満患者に対する「設定後忘却（set-it-and-forget-it）」式の胃緊縛術と考えることができる。
【課題を解決するための手段】
【０００７】
とりわけ、この自己制御式胃バンド装置は、患者のストーマの大きさを調節するためのものである。この装置は、患者の体内に配置される胃バンドを有する。この胃バンドは、流体（生理食塩水など）を受容するルーメンまたはキャビティを含む内側拡張可能リングを有する。バンド調節アセンブリは、胃バンドとともに移植されるセンサであって、胃バンド、特に内側拡張可能リングの特性またはパラメータ（たとえば内側リング内の流体の圧力、または内側リングの大きさ、ひいては胃バンドの大きさを示す他の特性）を検出するセンサを有する。このバンド調節アセンブリは、内側拡張可能部品のルーメンと流体連通するポンプアセンブリと、検出された胃バンドの特性に基づいて、ルーメン内の流体の容量を調節するようにポンプアセンブリを操作するコントローラとを有する。バンド調節アセンブリは、特定のバンド特性の動作範囲（たとえば圧力動作範囲の上限値および下限値を定義する２つの流体圧力値など、許容可能な動作範囲を定義する上限値および下限値）を記憶するメモリを有していてもよい。この場合、コントローラ（またはプログラム可能なセンサ）は、検出されたバンド特性を比較して、動作範囲内にあるか否か判断する。動作範囲内になければ、コントローラは、検出されたパラメータが動作範囲より低いか高いかに依存して、ポンプアセンブリを操作して、内側リング内の流体の容量を増大させるか、流体の容量を減少させる
【発明を実施するための最良の形態】
【０００８】
要約すると、本発明は自己制御式の胃バンドあるいは胃バンドシステムに関し、これはオペレータ（たとえば医者または技術者など）が、患者に移植する前または後において操作パラメータを設定することを可能とするものである。自己制御式胃バンドは、胃バンドに付随する特性を直接的にモニタして、モニタまたは検出された特性が所定の操作パラメータまたは規定値内に入るか否かを判断し、入らない場合には、モニタまたは検出された特性が所定の操作パラメータまたは規定値内に入るように、胃バンドの大きさ（患者の胃のストーマ（stoma：小孔）の大きさを規制する内径）を自動的に調節するように操作させることができる。
【０００９】
本発明に係る自己制御式の胃バンドシステムは、通常、数多くの胃バンド設計とともに利用でき、その実施形態において、内部に収容される流体の容量を増減させることにより拡張可能な部品あるいは拡張収縮する内部ルーメンを有するものが特に有用である。本発明に係る胃バンドシステムは、概略、拡張可能部品内の流体の圧力などのバンドパラメータを直接的に検出するための１つまたはそれ以上のセンサと、検出されたバンドパラメータを処理して、バンドの大きさ（ひいてはストーマの大きさ）を微調整するために流体をバンドに追加すべきか排出すべきかを適正に判断するコントローラとを有する。局所流体リザーバ（容器）をポンプアセンブリに接続してもよく、ポンプアセンブリは、流体をバンド内にポンプ供給し、バンドからポンプ排出するようにコントローラにより制御されるものである。１つの実施形態において、局所流体リザーバは、外側ルーメン、外側リングリザーバまたは外側リザーバ部品など、胃バンド自体の内部に設けられる。内部充填ラインまたはチューブは、（標準的なアクセスポートに代えて、またはこれに加えて）流体容量を局在的に制御できるように、ポンプアセンブリと胃バンドの拡張可能な部品または部材との間に接続される。ポンプアセンブリ、コントローラおよびセンサのための電源も同様に、誘導電源などの外部電源ではなく、胃バンドに付随して配置され、すなわち体内または患者のストーマおよび胃バンドに隣接して配置される。同様に、メモリがコントローラに配設され、このメモリはバンドデータおよび胃バンドの大きさを調節するタイミングを特定するために用いられるバンド動作範囲または規定値を記憶するためのものであり、これらの動作範囲または規定値（範囲限界値）は、移植する前に設定するか、あるいは移植後に外部コントローラ／モニタと通信することにより修正することができる。本発明に係るこれらの特徴および他の特徴が図１〜図１０を参照する以下の明細書に詳細に記載されている。
【００１０】
図１は、病的肥満を治療すべき患者に取り付けられたときの自己制御式の胃バンドシステムまたは胃バンド装置１００を示す。図示のように、システム１００を用いて、胃の上部であって食道に隣接したところにストーマまたはより小さい開口部を形成して、食物の摂取および食物の流れを規制するものである。患者を適切に治療するために、ストーマの大きさ（寸法）を変更することは、しばしば有用であり、あるいは必要なことでさえある。したがって、自己制御式の胃バンドシステム１００は、検出されたバンドパラメータおよび操作パラメータ（事前設定した上限値および下限値の範囲にある操作パラメータなど）に基づいて、その大きさを自己制御するように構成されている。胃バンドシステム１００は、アクセスポート１１４に接続された充填チューブまたは充填ラインを通じて外部または体外からの操作により拡張可能な胃バンド１１０を有する。このアクセスポートを介して、流体を胃バンド１１０の拡張可能な部品または部材にポンプ供給することができる。こうした充填操作は、通常、ストーマの当初寸法の決定ステップの一部として、医者または他の技術者が実施する移植手術の一部として行われる。
【００１１】
このバンド１１０およびシステム１００の他の構成部品は、既存の拡張可能または膨張可能な胃バンドと同一または類似の外科手術で移植される。たとえば、外科医は胃の周辺の組織を切開して、バンド１１０のためのトンネル（坑道）を形成する。そして１８ｍｍまたは別の寸法を有するトロッカ（套管針）などを介して、あるいは皮膚に設けたトロッカホールを直接介してバンド１１０を患者の腹部内に案内する。その後、バンド１１０を所定位置に挿通して、胃の周辺に配置する。体内（内側）バンド調節システムまたはユニット１３０を含むシステム１００の他の構成部品は、胃に隣接して（アクセスポートに隣接する胸骨の上部または腹直筋鞘の上の皮膚の真下などに）配置され、このとき胃バンド１１０、とりわけ胃バンド１１０の拡張または膨張可能な部品または部材が、充填／排出ラインを介して流体接続される（胃バンド１１０がその大きさを決定する局所流体リザーバを含む実施形態である場合には、追加的な流体接続が設けられる。）。他の実施形態では、胃バンド１１０に対する他の流体接続を必要としないように、充填ライン１１２が流体接続１２０に設けられる。
【００１２】
自己制御式の胃バンドシステム１００は、体内バンド調節アセンブリまたはユニット１３０を備え、これは、拡張または膨張可能な部品またはルーメンあるいは充填ライン１１２内の流体圧や、バンド表面の張力または応力などの特性などのバンドパラメータを検出し、これらの検出またはモニタされた特性またはパラメータが所定の許容できるバンド動作範囲内に入るか否か判断し、入らなければ、胃バンド１１０の大きさを調節するように機能するものである。通常、寸法調節は、充填／排出ライン１２０を介して、食塩水などの流体をバンド１１０に追加またはバンド１１０から除去することにより行われる。胃バンド１１０については図４〜図１０を参照して詳細に説明する。このシステム１００は、外部モニタ／制御デバイス１５０をさらに備え、このデバイスは、体内バンド調節アセンブリまたはユニット１３０との無線通信１５２で受信したデータを表示するために用いられる表示部品１５４を有し、これにより体内システム１３０に送信すべき新規の操作バラメータなどのデータ、あるいは胃バンド１１０に関連する履歴データまたは他のデータを表示する。外部モニタデバイス１５０は、（体内システム１３０からデータを要求し、胃バンド１１０の新規の設定値を入力して、動作範囲を調節するため）キーパッドまたは他の入力領域１５６を有し、オペレータがデータを入力できるようになっている。
【００１３】
胃バンド１１０は本発明を具現化する数多くの形態を有し得る。具体的には、これに限定するものではないが、胃バンド１１０は、ここに参考に一体のものとして全体が統合される米国特許第5,226,429号および第5,601,604号に記載された胃バンドと同様のものとして構成されたものであってもよい。択一的には、胃バンド１１０は、Inamed Corporationから市販された１つの胃バンド（たとえば、９．７５ｃｍ、１０．０ｃｍ、１１．０ｃｍ等のＶＧまたはＡＰのＬＡＰ−ＢＡＮＤ（登録商標）などの拡張可能な胃バンドＬＡＰ−ＢＡＮＤファミリ）を含むものであってもよい。当該用途に用いられる他の胃バンドが、さまざまなバンド製造業者またはバンド仲介人から市販されており、これに限定するものではないが、Obtech（Ethicon）バンド、AMIバンド、Heliogastバンド、Minimizer（Pier）バンド、Cousin Biobandが含まれる。
【００１４】
図２および図３は、自己制御式胃バンドアセンブリ２００を図示し、これは（システム１００における例示的な胃バンド１１０と同様）本発明を具現化する１つの例示的な胃バンド２１０を有する。胃バンドアセンブリ２００は、胃バンド２１０と、体内調節システム２３０とを有し、図１で説明したものと同様のものであって、図４〜図１０を参照しながら説明するが、バンド２１０の特性を直接的に検出するためのセンサ、メモリを含むコントローラ、体内電源およびポンプアセンブリ（図２および図３では図示しないが、図４〜図１０を参照して説明する。）を有する。
【００１５】
胃バンド２１０は、充填チューブまたはライン２１２を有し、これを用いて、アクセスポート（図示せず）と、バンド２１０の拡張または膨張可能な部品またはルーメン２２６との間の流体連通が実現される。ベルト２１４は、凹んだ表面２１５および隆起した部分２１８を有し、バックル部材２１６に併設され、バンド２１０が患者の胃の周囲に移植されたとき、最初のストーマの大きさを決定するために、円形ループ、あるいは特定の当初寸法または内径（たとえば、そのバンド寸法は９〜１１ｃｍまたは他の有効な内径）を有するバンドを最初に形成することを可能にするものである。ストーマの微調節を可能にするために、胃バンドは、胃の外側表面に当接する膨張可能な部品または部材を有する。
【００１６】
図示のように、胃バンド２１０は、シェルまたは成型シェル２２０と、内側リング２２２と、弾力性部材または寸法を増大・縮小可能な他の材料からなる膨張可能な部品、部材あるいはバルーン２２４とを有する。膨張可能な部材２２４は、食塩水などの流体の容量を受容するための内部ルーメン２２６を有する。本発明の特徴によれば、胃バンド２１０は、膨張可能部品２２４を拡張または収縮させる流体を収容するための局所流体リザーバを有していてもよい。この点に関し、内側リング２２２は、通常、膨張可能部品２２４より硬い材料で形成され、部分３２１で（接着剤を用いて）シェル２２０に固定されており、体内調節システム２３０により膨張可能部品２２４のルーメン２２６内にポンプ供給可能な流体を貯蔵するためのルーメンまたはリザーバ３２３を有する。このルーメンまたはリザーバ３２３は、リザーバ接続チューブまたはライン２３８が体内バンド調節システム２３０（たとえばシステム２３０内のポンプ（図示せず）など）に配設されるので、流体を貯蔵するものとして有用である。
【００１７】
内側リング２２２により構成されたリザーバ３２３から排出された流体は、体内調節システム２３０に至るライン３４０を介して、拡張可能部材２２４のルーメン２２６にポンプ供給され、胃バンドの寸法を大きくする（すなわち、図３に示すようにバンド２１０の断面における外径を増大させる）か、あるいは患者に形成されたストーマの大きさを縮小させるために、胃の周囲にあるバンド２１０により定義されるＩＤの寸法を小さくする。別のタイミングにおいて、（検出されたバンドパラメータに基づいて）体内調節システム２３０を操作して、矢印３５０で図示したように、膨張部分２２４のルーメン２２６を体内バンド調節システム２３０（またはシステム２３０のポンプ）に接続する充填／排出ライン２３４を介して、ルーメン２２６から流体をポンプ排出する。このようにルーメン２２６から流体を排出させると、バンド２１０および膨張可能部品２２４の寸法が小さくなり、胃の周囲にバンドにより定義されるＩＤが増大し、患者のストーマの大きさが増大する。膨張可能部品２２４から排出された流体は、矢印３４０で図示のようにリザーバ３２３内にポンプ供給されて貯蔵され、後日、胃バンド２１０の寸法を決定し、調節するために用いられる。
【００１８】
図４は、例示的な自己制御式胃バンドアセンブリまたはシステム４００の機能ブロック図を示す。このシステム４００は、体内バンド調節システム４３０と無線４２６で通信する外部モニタおよび／または制御デバイス４１０を有する。使用に際しては、体内バンド調節システム４３０は、肥満治療のため患者の胃にストーマを形成するように、拡張または膨張可能な胃バンドとともに患者の腹腔内に移植され、すなわち、流体を追加または除去することにより胃バンドを膨張または収縮させて、胃バンドの大きさ、および円形の形態にあるバンドにより形成された内径（ＩＤ（バンド））を変化させる。外部モニタ・制御デバイス４１０は、ハンドヘルドコンピュータ、ラップトップコンピュータ、デスクトップコンピュータ、および／または他の通信端末等の形態を有していてもよく、通信端末は、情報表示するための表示部品４１２と、ユーザがデータや情報の入力を可能とするキーパッドまたはタッチスクリーンなどのような入出力部品４１４と、そして／または符号４２６で図示のように体内バンド調節システム４３０のＩ／Ｏ部品と無線通信する音声データ入力手段を備えるものである。このデバイス４１０は、バンドのデータを記憶するメモリ４１６と、体内バンド調節システム４３０のＩ／Ｏ部品とを有し、このメモリはシステム４３０から読み出され、コントローラ４３２に配設されるものであって、胃バンド４６０に関する動作範囲または限界値（圧力範囲などの上限値および下限値）などのバンドの設定値を記憶する。なお、こうした設定値は、制御デバイス４１０を用いて入力されるか、体内システム４３０に格納され、後に外部デバイス４１０により読み出され、メモリ４１６に記憶され、そして／または外部制御デバイス４１０の操作により修正または改変される。外部制御デバイス４１０は、このメモリ４１６を用いて、体内バンド調節システム４３０のセンサ４５０で得られたセンサデータ４２２（いくつかの場合には、患者のデータ）を記憶する。
【００１９】
体内バンド調節システム４３０は、ＣＰＵ、およびシステム４３０の操作を制御する上で有用なコードを有し得るコントローラ４３２を含むものとして図示されている。このシステムは、外部モニタ・制御デバイス４１０と通信するためのＩ／Ｏ部品４３４をさらに有する。バンド設定値４３８、すなわち所定の特性、またはセンサ４５０が検出する胃バンド４６０のパラメータに対する許容可能な動作範囲を記憶するために、メモリ４３６がシステム４３０内に設けられる。ここでパラメータとは、センサ４５０が胃バンド４６０の膨張可能部分内にある流体の圧力を検出する場合、圧力上限値または圧力下限値（たとえば４，５ｐｓｉ）のようなものである。バンド設定値４３８は、特定の患者に対する設定値、あるいはシステム４３０を移植する前のデフォルト設定値であってもよく、そして／またはバンド設定値４３８は、移植した後に、外部モニタ／制御デバイス４１０を用いて、設定または変更して、胃バンド４６０の大きさ、ひいてはバンドの内径すなわちＩＤＢＡＮＤを変更することができる。同様にメモリ４３６は、コントローラ４３２により用いられ、胃バンド４６０の操作の履歴情報、ならびにバンドのシリアル番号および製造業者などのバンド情報を提供するために、センサ４５０で収集されたデータなどの他のセンサデータおよびバンドデータ４４０を記憶するようにしてもよい。
【００２０】
胃バンド４６０の操作をモニタするために、システム４３０は、好適には、胃バンド４６０の特性または物理的パラメータを直接的にモニタするセンサ４５０を有する。符号４５２で図示したように、センサ４５０は、胃バンド４６０とシステム４３０のポンプアセンブリ４４２との間の流体連結または流体接続４４８にある圧力トランスデューサまたは他のデバイスに設けるか、これに接続してもよい。択一的には、たとえば、バンド４６０への入力ポートでの充填ライン４７８において、バンド４６０の膨張可能部品における配置することにより、圧力トランスデューサまたは他の圧力検出デバイスをセンサ４５０として設けるか、センサと通信するように設けて、胃バンド４６０内の圧力を測定してもよい。充填ライン４７８は、アクセスポート４７４および外部充填デバイス４７０と連通する（これは、バンド４６０の膨張または拡張可能部品を最初に充填し、バンド４６０を後に任意的に調節するためのものである。）。センサ４５０は、バンド４６０の特性を直接的に検出するようにライン４５６に配設してもよく、たとえばバンド４６０の膨張または拡張可能な部分の表面の表面直力を示す歪みセンサなどとともに、あるいはバンド４６０の現在の大きさを測定する上で有用な他の検出デバイスとともに配設してもよい。
【００２１】
センサ４５０は、バンド設定値４３８を記憶するメモリ４３６を有し、バンド４６０のパラメータが所定の範囲内から外れたことを検出した場合（たとえば最大値を上回るか、最小値を下回るような場合）、センサ４５０は、コントローラ４３２を「起動」してポンプアセンブリ４４２を操作させる。換言すると、センサ４５０は、胃バンド４６０が所定の動作範囲外にあって、警戒または警告することにより反応して、コントローラ４３２にポンプ４３２を適正に作動させて、検出されたバンドパラメータを送信して、コントローラ４３２が胃バンド４６０を的確に調節することを含めて、バンド４６０を調節するタイミングを判断できる程度に十分に高機能なものであるように構成されている。択一的には、センサ４５０は、周期的に（あるいはより頻繁に、ほとんど連続的に）センサ４５０を操作して、（符号４５２および符号４５８で図示した）バンド特性またはパラメータを追加的に読み込んで、検出値をコントローラ４３２に供給し、その結果、コントローラはバンド検出値をバンド設定値に比較するように作動して、調節が必要か、あるいは好ましいか否かを判断する。
【００２２】
いずれの場合においても、電池などの電源４４４を用いて、コントローラ４３２およびシステム４３０の（ポンプアセンブリ４４２およびセンサ４５０などの）他の電力消費部品に電源供給する。システム４３０は、ポンプアセンブリ４４２および体内リザーバ４４６を有する。ポンプアセンブリ４４２は、センサ４５０からの情報に呼応してバンド４６０の大きさを液圧式に調整するためのさまざまな形態（図５〜図１０で図示したようなもの）を採用することができるが、本発明は特定のポンプまたは流体送出デバイスに限定されるものではない。体内リザーバまたは局所リザーバ４４６は、ポンプアセンブリ４４２と流体連通し、充填／排出ライン４４８を介してバンド４６０に流体（生理食塩水）をポンプ送出して、寸法を大きくし、内径（ＩＤ（バンド））を小さくし、圧力差に基づいて、ライン４４８を介してバンド４６０から、そしてポンプアセンブリ４４２からポンプ送出される流体のための保管場所を提供するものである。リザーバ４４６は、体内バンド調節システム４３０またはリザーバ４４６を包含または包囲するために用いられたハウジング（図示せず）の内部に独立した部品として提供されるものであってもよいし、あるいはリザーバ４４６は、バンド４６０を収容するシステム４３０に近接して設けられた、バルーン状構造体等の形態を有する独立したデバイスとして提供されるものであってもよい。さらにいくつかの実施形態では、（図２，３および図５〜１０で示すように）バンドシェルの外側ルーメンまたは外側部材などの、胃バンド４６０自体の一部として提供されるものであってもよい。
【００２３】
自己制御式胃バンドの一般的な特徴を理解した上で、（バンド１１０，２１０，４６０などの）移植された胃バンドの大きさを効率的に調節するためのシステムの操作手法について十分に議論することは有用なことである。ポンプアセンブリは、モジュール式の組立品であり、Inamed株式会社から現在市販されている９．７５ｃｍ、１０．０ｃｍ、ＶＧｓまたはＡＰｓのラップバンド（LAP-BAND）などの数多くの胃バンドの内の任意のものとともに用いることができる。ポンプアセンブリのポンプは、手動式に調節可能なアクセスポートの機能を置換するものである。バンドを収縮させるために用いられる部材は、一般に、通常用いられているものと同じものであり、局所リザーバがシェルまたはチューブ内に配置される場合には、バンドの寸法は同じである。しかし、性能を改善し、耐酸性を増大し、あるいはいくつかの他の所望の結果を得るように、別の部材を用いて、本発明を実現することもできる。同様に、バンドチューブにマイナーチェンジを加え、バンドチューブの外径を０．１３０から０．１８０以上に大きくし、外側ルーメンまたはシェルルーメン内の生理食塩水容量を増大させ、寸法調節のために用いられる追加的な生理食塩水または流体のためのリザーバとして機能させてもよい。（図２および図３に示すように）胃バンドのチューブは、リザーバのための生理食塩水と、胃バンドの一部としての生理食塩水とを分離するために２つのルーメンを有するものであってもよい。加えて、リザーバとして機能する、長く延びたバルーンをチューブに沿って配置してもよい。ポンプアセンブリは、一般に、１つまたはそれ以上のポンプ（またはバンドに流体を出し入れするためのポンプのようなデバイス）、電子部品、通信部品、コンピュータまたは情報部品、ならびに電池などの電源部品を備える。内側の胃バンド調節アセンブリは、アセチル共重合体、ＰＥＥＫ、チタニウムなどの生体適合性材料からなる外側ハウジング内に封止される。いくつかの実施形態においては、電源部品は、ポンプアセンブリ内に配置される前にチタニウムで気密封止された移植可能品位を有する電池である。ポンプアセンブリは、図４に示すアクセスポート４７４を介して外部充填デバイス４７０などを用いて手動式に調節できるように、乗り入れポート（over-ride port）を有していてもよい。
【００２４】
いくつかの実施形態では、自己制御式胃バンドシステムは、自動的に作動し、あるいは「設定後忘却（set-it-and-forget-it）」デバイスとして作動する。たとえば、このシステムは、連続的あるいは周期的に（１時間毎、１日毎、１週間毎、１月毎、または別の選択されたモニタ期間毎に）バンドパラメータまたはバンド特性を検出して、生理食塩水または別の流体を用いて液圧により胃バンドを膨張・収縮させることにより調節するものである。いくつかの事例では、生理食塩水充填容量およびバンドの充填バーストに関する同一または類似の仕様を自己制御式胃バンドシステムに適用する。これらの自己制御式の態様における調節は、センサおよび制御電子部品に接続されたマイクロポンプまたはポンプを遠隔操作することにより実施される。このセンサは、バンドの内部パラメータ（たとえば内部バンド圧）や、内外パラメータ（たとえばシェルの応力および／または歪み）などのバンドパラメータまたはバンド特性を直接的に検出する。このセンサには、バンドまたはバンドの膨張可能部品の長さの変化を検出するリニアモーションセンサが含まれ、このときセンサまたはコントローラは、検出された長さデータを、ストーマまたはバンドの直径測定値に変換する。このセンサは、２点間の距離を測定して、位置変化を検出するように機能する距離センサであってもよい。臨床医にリアルタイムでフィードバックするために、このセンサは、パラメータに対するデータをモニタするように、外部モニタユニットまたは外部コントロールユニットに指示されるものであってもよい。
【００２５】
いくつかの事例では、このセンサは（モニタ期間毎に）所定期間毎に「起動」してパラメータをモニタし、テストを通じて確立された理想的なバンドパラメータ、あるいは長い治療期間にわたって患者をより良好に治療するために確立されたバンドパラメータにバンドを調節するようにプログラムされている。パラメータが理想的な範囲に収まらない場合には、センサは、バンドが確実に理想的なパラメータ制御限界値内に入るように、必要に応じて再調節するように指令を送る。択一的には、センサは、バンドが所望する作動範囲内にあるか否かを決定するために用いるため、単にバンドから収集した情報をコントローラに送信する。たとえば、センサが「起動」してバンドが内部バンド圧をＸｐｓｉであるとモニタしたことを判断し、事前設定されたバンドパラメータと比較することにより、内部流体圧が作動範囲内の圧力の中間圧力またはその中の任意の圧力であるＹｐｓｉとなるようバンドを調節することを判断する。センサは、この構成において、コントローラと通信して、移植されたポンプを駆動し、センサ測定値が理想的なパラメータ制御限界値内に入るまで、バンドから出し入れすべき流体容量を指示するが、具体的には、バンド内の内部流体圧力が現在の作動範囲の範囲または中間値（あるいはセンサまたはコントローラに付随するメモリに記憶された他の事前設定された圧力）に合致することをセンサが検出するまでポンプを作動させる。
【００２６】
マイクロポンプは、移植された電池または電源から電源供給され、調節を実現し、追加するならば、コントローラは、１つまたはそれ以上のチェックバルブ（逆止弁）を開口するように駆動する（図５〜図１０を参照されたい。）。バンドをさらに膨張させ、あるいはその大きさを微細に増大させるためには、ポンプは、流体を局所リザーバからバンドへ送出する。バンドを収縮させ、あるいはその大きさを微細に減少させるためには、ポンプは、流体をバンドから局所リザーバへ戻すように送出する。センサが特定のパラメータ範囲内にあることを検出すると、バルブを閉口して流体移動を止める。その後ポンプおよびセンサは、センサが再び「起動」するまで、電力消費節約のため、駆動停止する。このバンドに関しては、流体を用いてシェルを膨張または収縮させて、ストーマの大きさを制御するが、この場合、大きさの変化は、局所制御および局所流体リザーバを用いて内部において実施される。センサによりモニタされたパラメータが変化した後、センサは、パラメータが変化した日、新しい設定値あるいは検出されたバンドパラメータまたはバンド特性、ならびにいくつかの事例では変化の差分または量について、記録するように指令またはメッセージをコントローラに送る。
【００２７】
センサからの新たなパラメータまたは調節されたパラメータなどのバラメータ読取値を外部からモニタするためには、臨床医またはシステムオペレータは、患者の体外にある携帯型あるいは他の寸法を有する外部モニタ制御デバイスを用いて、センサに読取値を要求するか、コントローラに最新の記録値を要求する（あるいは両方要求する）。外部モニタおよびアクセスポートとは別に、このシステムは、自らをモニタし調節する自己完結型のものである。ポンプアセンブリは、バンドデータおよび許容可能なバンド作動範囲に加え、シリアル番号などのさまざまなデータを記録することができ、このシリアル番号は、移植された胃バンドおよび体内胃バンド調節システムを含む移植されたデバイスを特定するために、外部モニタ制御デバイスを用いて遠隔的に読み取ることができる。
【００２８】
外部デバイスは、ＬＣＤディスプレイおよびデバイスを操作するためのコントロールパネルで特徴付けされ得る携帯型制御ユニットの形態を有することがしばしばある。携帯ユニットは一連のメニューを有するものとして特徴があり、これによりオペレータは移植されたものをプログラムして（データ読取／決定）、バンドの大きさ、患者の名前、移植した臨床医、および移植された日時などの重要な情報をメモリ内に格納することができる。携帯ユニットは、遠隔操作技術を用いてセンサと無線で通信することができる。いくつかの実施形態において、ＦＤＡおよび世界的に認識されている通信帯（ＷＭＴＳ４０２〜４０５ＭＨｚ）を用いてもよく、また、このデバイスが携帯ユニット以外の制御メカニズムにより偶発的にアクセスまたは制御されることがないように認証プロセスを用いてもよい。遠隔操作制御信号は、約１フィートまたはおそらくはそれより長い距離だけ患者から離れたところから送信され、センサに指示を出し、パラメータを変える上で、通常、患者に衣服を脱ぐことを要求するものではない。調節に際して、携帯型外部モニタデバイスは、インプラント（移植されたもの）に対する情報（現在の圧力値またはパラメータデータ、調節する臨床医）を読み書きできることが好ましく、このとき携帯デバイスは、自らのメモリに調節した履歴を記録保持するように頻繁に作動する（この履歴は、内部調節システムにも同様に記録される）。また携帯デバイスは、無許可の者がデバイスに指示することを防止するためにパスワード管理するようにしてもよい。携帯デバイスのディスプレイは、視覚的出力または聴覚的出力を有するものであってもよいが、通常、バンドの状態に関して検出されたパラメータまたはこの物理的パラメータまたは特性が圧力、応力、歪み、および／または直線的測定であるかどうかについて表示または出力する。
【００２９】
センサが変化する際、センサ応答は通常ほんの数秒しかかからないが、マイクロポンプの制御にはより長い時間を要し、たとえば圧力を１ｐｓｉ変化させるために３０秒程度の時間を要する。圧力測定値およびパラメータ範囲の制御精度は微細であり、現在、手動のシリンジによる調節で実現可能なものより優れている。データ記録に関しては、少なくとも一部の情報が移植された内部システムに直接的に記憶される。シリアル番号、患者の名前、医者の名前、バンドの大きさ、充填容量および調節履歴などのデータ回収するために、携帯デバイスを用い、内部システムと通信して、データを画面上に表示させることができる。
【００３０】
インプラントシステムの電源に関しては、とりわけ移植された電池について上述したが、(a)体動による運動エネルギ形成、(b)移植された燃料電池、（c)体の化学反応により作動する移植された電源、(d)温度変化により作動する移植された電源、(e)直接的な接触により充電可能な移植された電池を含む、エネルギ条件に合致するさまざまな内部電源からインプラントに電源供給してもよい。携帯制御デバイスは、一般には再充電可能な電池により電源供給され、いくつかの実施形態では他の電源も用いられる。たとえば、使用の合間にデバイスを再充電できるように、電源コードを設けてもよく、この場合ほとんどの実施形態では、十分に充電されたデバイスは、複数の移植されたバンドシステムとの１日分の通信を実施することができる。
【００３１】
本発明に係る自己制御式胃バンド調節システムは、数多くの設計上の利点を有する。たとえば、このシステムは、インプラントの正確かつ安全な操作を実現し、インプラントとの遠隔操作通信を支援するものである。このシステムは、感染のリスクを低減し、患者の快適性を改善するものである。移植可能な電池または電源により、高い信頼性で一貫した電源供給が実現される。このシステムは、インプラントの状態をフィードバックしながら機能させることができる。
【００３２】
いくつかの実施形態では、図４のデバイス４１０などの外部モニタ制御デバイスは、内部バンド調節システムの動作を制御するように構成されている。これらの実施形態では、センサ４５０（またはコントローラ４３２）は、センサが４５２および／または４５６でモニタしたパラメータに対するデータを収集するように、外部デバイス４１０から遠隔操作４２６を介して指示される。臨床医、またはこの情報を収集するデバイス４１０のオペレータは、パラメータのモニタ限界値（すなわち、センサ４５０がバンド４６０の作動範囲を知性的にモニタするときの、センサ４５０にプログラムできるバンド設定値４３８）を変更して、たとえば胃バンドの圧力や応力または歪みを増減させることができる。そしてセンサ４５０は、データを再取り込みし、新しいデータが変更された制御限界値内に入るか否か判断するように再プログラムすることができる。センサ４５０は、制御メカニズム４３２に信号を送信し、制御限界値（またはバンド設定値４２０または４３８）内のデータ（すなわち胃バンドの特性またはパラメータ）を測定するように（測定するまで）バンド４６０を調節する。
【００３３】
たとえば、臨床医が外部デバイス４１０を操作することによりセンサ４５０を指示したとき、バンドは２〜３ｐｓｉの（バンド４６０内の流体圧などの）バンドパラメータをモニタまたは読み取り続けるようにしてもよい。臨床医、医師また他のオペレータは、バンドのモニタ範囲を中間点が５ｐｓｉとする範囲に増大させるように選択することができる。医師は、（たとえば、バンド設定値４２０および／または４３８をリセットすることにより）４．５〜５．５ｐｓｉの間でモニタするようにセンサ４５０を再プログラムし、これを遠隔操作４２６によりセンサ４５０に送信する。センサ４５０は、モニタ限界値をリセットし（あるいはコントローラ４３２は、センサにより得られたバンドパラメータの比較で用いられるバンド設定値４３８をリセットし）、コントローラ４３２と通信して、所定容量の流体がバンドに送出され、バンドから排出されて、センサ４５０が制御限界値内に収まるデータを検出するまで、移植されたポンプアセンブリ４４２を起動する。
【００３４】
作動に際して、ポンプは、調節を実現可能とするために、移植された電池または電源４４４から電源供給を受け、チェックバルブを開口するように駆動する（図５〜図１０を参照して説明する）。バンド４６０を膨張させるためには、ポンプアセンブリ４４２は、リザーバ４４６からバンド４６０へ流体を送り込む。バンド４６０を収縮させるためには、逆にバンド４６０からリザーバ４４６へ流体を送り込む。センサ４５０が特定のパラメータ範囲内で測定値を得ると、適当なチェックバルブが閉じて、流体がバンドに出入りすることを防止する。新たな圧力測定値（または他のバンドパラメータ）を確認するためには、臨床医またはオペレータは、携帯デバイス４１０を用いて、再度測定するようにセンサ４５０に指示する。確認されると、ポンプアセンブリ４４２およびセンサ４５０は、再び指示されるまで、電力消費節約のため駆動停止する。
【００３５】
図５〜図１０は、本発明を具現化するように採用可能な特定の自己制御式胃バンドシステムを図示している。以下の実施形態のそれぞれは、有効なポンプアセンブリの択一的な具体例を提供するものであるが、（図１〜図４に示す内部バンド調節システムのポンプアセンブリのための）胃バンドシステムで採用され得るものである。説明するシステムのそれぞれは、胃バンドの膨張可能部分または拡張可能部分（以下、これを「内部拡張可能リング」と称する。）の内部の流体圧力を検出または決定するために用いられる圧力センサを採用するものである。ただし本発明は、圧力センサのみに限定されるものではなく、本発明に係る数多くの実施形態（センサを置換した図５〜図１０に図示された実施形態を含む）は、胃バンドの１つまたはそれ以上の特性や物理的パラメータを直接的に検出する他のセンサを採用するものであってもよい。
【００３６】
たとえば、これらに限定するものではないが、以下のセンサを採用することができる。
１．CardioMems and Tronics Microsystem, SA から入手可能な圧力センサ。
２．CardioMems and Tronics Microsystem, SA から入手可能な、これらの企業が単独に開発した、あるいはInamed（本願の譲受人）と共同して開発した移植可能グレードの応力歪みセンサ。
３．Microstrain株式会社から入手可能なリニアモーションセンサ。
（http://www.microstrain.com/images/sensorman.jpg を参照されたい。その内容に一体のものとして統合される。）
４．Microstrain株式会社から頒布された、２点間距離を測定するための距離センサ。
５．Microstrain株式会社から頒布された、領域に対して生理食塩水により生じた力を測定するためのフォースセンサ。
６．Verichipから入手可能または開発中であるか、VerichipとInamed（本願の譲受人）から入手可能な、低レベル熱源からの温度勾配を測定して、距離を近似する温度センサ。
７．拡張時の延伸に起因したシェル壁厚の減少を検出するためのシェル壁厚ゲージ。
【００３７】
図５を参照すると、自己制御式胃バンドシステム５００が概略的に図示されており、このシステムは、円形形態を有するように患者の胃の周りに移植されてストーマを形成する胃バンド５１０を有する。このバンド５１０は、その大きさを調節するために用いられる流体を格納する外側リングリザーバ５１２を有し、たとえばバンド５１０の周りを（あるいは、バンドの頭部から尾部、あるいはバンドの第１端部から第２端部まで円形形態を有するように移植または配置されない場合には、バンドの長さ方向に沿って）少なくとも部分的に延びるバンドの外側リングまたは外側シェルにルーメンを配設してもよい。流体を受容したとき拡張でき、流体を送出または排出したときに膨張・収縮できるような材料で形成されたバンド５１０内に、内側拡張可能リングまたは膨張可能リング５１４が配設されている。
【００３８】
上述のように、拡張可能な胃バンドが当業者に広く知られており、外側リングリザーバ５１２およびこれに接続された流体接続ライン５１７（またはリザーバ充填／排出ラインまたはチューブ）を有するように変更すれば、ほぼすべての既知のバンドをシステム５００に採用することができる。使用の際、内側拡張可能リング５１４は、充填ラインまたは充填チューブ５１６（より正確には、バンド寸法調節ラインと考えられる）を介して流体を充填・排出される。バンド５１０の当初の大きさは、アクセスポートまたは手動ポート５１８を介して決定され、アクセスポートは、通常、患者の皮膚の直下に移植され、充填ライン５１６に接続される。大きさを決定する作業は、臨床医が胃バンド５１０の所望の内径を得られることを意図して通常選択された所定容量の流体を注入することを含む。微調整および継続的な「自己制御」は、ポンプアセンブリ５３０、センサ５２２、電源５２８（１つまたはそれ以上の電池など）、制御通信部品を備えた体内バンド調節システムを用いてシステム５００内で実施される。図示しないが、システム５００は、詳細について上述した外部モニタ制御デバイスと通信するようにしてもよい。この場合、アンテナまたは無線通信部品５２４が内部アセンブリに配設され、コントローラ５２６に接続され、このアンテナ５２４により（同様に、詳細について上述した）遠隔測定が可能となり、バンドパラメータおよび他の情報を外部モニタ制御デバイスと通信することができる。
【００３９】
図示のように、ハウジング５２０は、体内バンド調節システムの構成部品を患者体内で隔離できるように設けられる。ポンプアセンブリ５３０は、センサ５２２、アンテナ５２４、コントローラ５２６、電池または電源５２８、メモリ５２９（これはセンサ５２２および／またはコントローラ５２６に内蔵されるものであってもよい。）とともに、ハウジング５２０内に配設される。センサ５２２、コントローラ５２６、電池５２８およびメモリ５２９は、図４および上記説明を参照して詳細説明した機能を有する。この実施形態では、センサ５２２は、内側拡張可能リング５１４内の流体圧力を検出するための圧力センサである。そのため、ハウジング５２０に至る充填ライン５１６は、アクセスポートまたは手動ポート５１８からセンサ５２２を経由して内側拡張可能リング５１４の入口に接続されている。いくつかの実施形態では、センサ５２２は、内側拡張可能リング５１４内の流体により充填ライン５１６内の流体に発生する後方圧力を直接的に検出することができる圧力トランスデューサを含む者であってもよい。他の実施形態では、センサ５２２またはその一部がバンド５１０の内部、すなわち内側拡張可能リング５１４の充填ライン５１６に対する入口の中またはその付近、あるいは内側拡張可能リング５１４の内部に配置されていてもよい。
【００４０】
センサ５２２は、所定期間休止状態にあって、コントローラ５２６、内部タイミングメカニズム、および／または外部モニタデバイスにより起動されるものであってもよい。センサ５２２は、起動時、圧力測定を行い、測定値はコントローラ５２６に送信され、メモリ５２９内に記録され、そして／またはメモリ５２９に記憶された予め設定された動作範囲（最大圧力限界値および最小圧力限界値、またはバンド設定値として考えられる３〜７ｐｓｉ、あるいは４〜５ｐｓｉ）と比較される。択一的には、センサ５２２が知能とメモリを有し、（バンド特性として直接的に得られた）圧力測定値をセンサ５２２にプログラムされたバンド設定値と比較するように機能することができる。バンド５１０内の圧力測定値がバンド設定値から外れると、センサ５２２がコントローラ５２６を覚醒（起動）して、コントローラは、ポンプアセンブリ５３０を操作して、内側拡張可能リング５１４に対して流体を送出または排出することにより、バンド５１０内の圧力を増減させることができる。電池５２８は、ポンプアセンブリ５３０内に配設されたコントローラ５２６、センサ５２２、ポンプおよび電気的バルブなどのハウジング５２０内の電力消費部品のための局所電源として機能する。バンド設定に加え、メモリ５２９は、センサ５２２からの圧力測定値、および胃バンド５１０に関連する他のデータ（バンドの同定情報、移植の日付など）、あるいはいくつかの事例では患者に関するデータ（患者の名前、最近の治療日時など）を記録することができる。
【００４１】
ポンプアセンブリ５３０は、一般に、コントローラ５２６からの制御信号に呼応して、内側拡張可能リング５１４に流体を送出するか、あるいは内側拡張可能リング５１４から流体を排出するように機能することにより、バンド５１０の大きさを調節して、その結果、センサ５２２でモニタされるバンドパラメータまたはバンド特性は、動作範囲内またはバンド設定値内に戻る。図示のように、システム５００のポンプアセンブリ５３０は、ライン５１７を介して外側リングリザーバ５１２と流体連通するブリードバルブ５３２（スプリングプランジャにより作動するセラミック製ブリードバルブなど）を有する。ブリードバルブ５３２は、ポンプ５３４（たとえば７ｐｓｉのバーテルのアクチュエータポンプ、あるいは同一容量またはそれ以上ないしはそれ以下の容量を有する他のポンプ）により作動し、このポンプ５３４は体内リザーバ５３６により補給される。ブリードバルブ５３２は、同様に、内側拡張可能リング５１４の充填・排出ライン５１６に接続されるように図示されている。ブリードバルブ５３２は、ポンプアセンブリ５３０により、外側リングリザーバ５１２と内側拡張可能リング５１４の間の圧力を均等にするために配設されたものであって、これはいくつかの実施形態において好適なものである（好適でない場合には、ブリードバルブ５３２に付随するこれらの構成部品をポンプアセンブリ５３０から省略することができる。）。
【００４２】
追加的に（あるいは択一的に）、ブリードバルブ５３２を用いて、内側拡張可能リング５１４に対して流体を排出または抜き取ることができる。これらの実施形態において、センサ５２２はバンド設定値の上限を超えるあまりにも高い圧力を検出し、コントローラ５２６はセンサからの信号に呼応して、ポンプ５３４を駆動してブリードバルブ５３２を開口することができる。外側リングリザーバ５１２と内側拡張可能リング５１４の間の圧力差により、流体は体内リング５１４から充填ライン５１６およびブリードバルブ５３２を介して外側リングリザーバ５１２に流れる（たとえば、この操作実施形態によれば、流体リザーバ５１４は内側拡張可能リング５１２内の流体より低い圧力で維持される。）。センサ５２２は、内側拡張可能リング５１２内の圧力を継続的にモニタし、この圧力が所望の動作範囲内（より一般的には、その範囲の中心点または中間点に、またはその付近にある）にあるとセンサ（またはコントローラ５２６）により判断された場合、コントローラ５２６は、ポンプ５３４を停止させてブリードバルブ５３２を閉口する。
【００４３】
同様に、システム５００のポンプアセンブリ５３０は、一対のチェックバルブ５４２，５４６（バーテルのマイクロチェックバルブなど）を有し、その間にポンプ５４０（バーテルの２０ｐｓｉのカスタム・アクチュエータポンプなど）が配置されている。一方のチェックバルブ５４２は、ライン５１７を介して外側リングリザーバ５１２に接続され、網一方のチェックバルブ５４６は、充填ライン５１６を介して内側拡張可能リング５１４に接続されている。ポンプ５４０は、チェックバルブ５４２，５４６の間に接続され、ポンプ作動中の流体は、外側リングリザーバ５１２から内側拡張可能リング５１４に流れる。この構成において、ポンプ５４０は、流体を外側リングリザーバ５１２からチェックバルブ５４２，５４６を介して内側拡張可能リング５１４に送出するようにコントローラ５２６により駆動され、バンド５１０を大きくすることができる。コントローラ５２６は、内側拡張可能リング５１４内の流体の圧力がセンサ５２２およびコントローラ５２６の操作により決定された設定動作範囲内に収まったとき（あるいはこの範囲の中間点またはその付近、またはこの範囲の予め設定した値に達したとき）、停止信号を送信する。
【００４４】
いくつかの事例では、流体を内側拡張可能リング５１４からポンプ５４０を介して排出することにより、バンド５１０がより小さくなるように調節される。これらの実施形態では、センサ５２２は、あまりにも低い圧力（すなわち動作範囲またはバンドパラメータの下限値より低い圧力）を検出して、この情報をコントローラ５２６に供給することができる。するとコントローラ５２６は、チェックバルブ５４２，５４６に開口するように信号を送信して、流体がポンプ５４０を介して外側リングリザーバ５１２にライン５１７を通って逆方向に流れるようにすることができる。この実施形態は、外側リングリザーバ５１２の圧力が内側拡張可能リング５１４の流体の圧力より低くなること、およびポンプ５４０が積極的にポンプ送出しない場合には流体が逆流できるように構成されていることを想定している。センサ５２２がセンサ５２２および／またはコントローラ５２６により決定されたプログラムされた動作範囲内の圧力（あるいは動作範囲内の中間値または他の設定値）を検出したとき、コントローラ５２６はチェックバルブ５４２，５４６を閉口する。
【００４５】
図６は、ポンプアセンブリ５３０の１つの物理的構成を図示するものである。図示のように、ハウジング５２０は、一体型のユニットまたはボックスであり、センサ５２２、コントローラ５２６、電池５２８、ポンプ５３４，５４０および内部リザーバ５３６（ならびにポンプアセンブリ５３０の他の構成部品）を取り囲む。このハウジングは、充填ライン５１６およびリザーバ接続ライン５１７のための流体ポートまたは接続ポイントを有する。ハウジング５２０に用いられる材料は、好適には生体適合性を有し、ハウジング５２０は、好適には、ポンプアセンブリを移植した状態で長期間留置できるように、漏れが生じないように（液体または流体に対して「液密」であるように）構成されている。図示しない別の実施形態では、ハウジング５２０は、円筒形、正方形または他の有用な形状などの異なる形状を有していてもよく、モジュール式として、異なる構成部品が着脱式モジュールとして２つまたはそれ以上の筐体を有するように構成してもよい。
【００４６】
図７は、別の実施形態に係る自己制御式胃バンドシステム７００の概略図である。このシステムは、調節可能な胃バンド５１０を備え、充填／排出ライン５１６を有する内側拡張可能リング５１４および充填／排出ライン５１７を有する外側リングリザーバ５１６を有するシステム５００と同様に構成されている。アクセスポート５１８は充填／排出ライン５１６に接続され、たとえば移植手術のときに最初にバンドの大きさを決定する際、生理食塩水または他の流体を内側拡張可能リング５１４に外部から充填することができる。ハウジング７２０内において、センサ７２２は、内側拡張可能リング５１４内の胃バンド５１０の流体圧力を検出するために、充填／排出ライン５１６内に配設される。アンテナ７２４、コントローラ７２６およびメモリ７２９は、システム５００内の構成部品と同様の機能を有する。
【００４７】
このシステム７００のシステム５００と異なるところは、ポンプアセンブリ７３０がハウジング７２０内の体内バンド調節システムの一部として構成されている点にある。図示のように、ポンプアセンブリ７３０は、充填／排出ライン５１６，５１７に接続されたブリードバルブ７３２を有し、このバルブ７３２はポンプ７３４の駆動によりバルブ５３２と同様に作動するものである。しかしながら、ポンプアセンブリ７３０は、ポンプアセンブリ５３０とは異なり、単一のポンプ５４０に代わって複数のポンプ７４０，７４２，７４４（たとえば７ｐｓｉのバーテルのアクチュエータポンプ、同一機能／目的に有用な他のポンプ）を設け、これらのポンプがチェックバルブ７４６，７４８の間に直列的に配置されている。ポンプ７４０，７４２，７４４は、センサ７２２が予め設定された低圧側の限界値より低い圧力を検出したとき、電池７２８およびコントローラ７２６により駆動され、流体を外側リングリザーバ５１２から内側拡張可能リング５１４へポンプ送出する。さらに、いくつかの実施形態では、チェックバルブ７４６，７４８は、コントローラ７２６により開口し、電池７２８により電力供給され、センサ７２２およびコントローラ７２６が予め設定された動作範囲内にあることを確認するまで、（センサ７２２が検出する）予め設定された高圧側の限界値より高い圧力を有する内側拡張可能リング内の流体を、内側拡張可能リング５１４からポンプ７４０，７４２，７４４を介して外側リングリザーバ５１２へ排出する。
【００４８】
図８は、自己制御式胃バンドシステム８００は、流体リザーバ５１２内蔵の拡張可能な胃バンド５１０を有するシステム５００，７００と同様のものであるが、ハウジング８２０内に圧力センサ８２２、通信モジュール８２４、コントローラ８２６、局所電源８２８およびメモリ８２９を備える。ただしシステム８００は、ハウジング８２０内のポンプアセンブリ８３０がポンプアセンブリ５３０，７３０とは異なる。図示のように、任意的なブリードバルブ８３２が外側リングリザーバと内側拡張可能リング５１４の間に設けられ、このブリードバルブは、バンド５１０（またはシステム８００）のこれらの２つの部分の間に所望する圧力差が維持されるように作動する。たとえば、いくつかのバンド５１０においては、上記圧力差を約２ｐｓｉ以下、あるいは約０．２５ｐｓｉ〜１ｐｓｉ等に維持することが好ましい場合がある。システム８００の他の実施形態では（図示しないが）、ブリードバルブ８３２を省略してもよい。
【００４９】
内側拡張可能リング５１４の大きさを選択的に調整することを可能にするために、ポンプアセンブリ８３０は、充填／排出ライン５１６，５１７に接続された一対のチェックバルブ８４６，８４８を有する。ポンピング力または流体推進力は、２つのチェックバルブ５１６，５１７、ならびにバンド５１０の２つのリザーバまたは部分５１２，５１４と流体連通するシリンジまたは他のチャンバ８４２により与えられる。流体は、モータケース８３４内に封止されたスクィグルモータ（squiggle motor）８３８が作動することにより、チャンバ内に送出され、チャンバから排出される。スクィグルモータは、モータ８３８（スクィグルモータなど）に接続されたシャフト／プランジャ８４０の回転を支持するベロー８３６を有する。
【００５０】
システム８００の作動において、センサ８２２は、バンド５１０の内側拡張可能リング５１４内の圧力を検出する。検出またはモニタされたバンド特性は、センサ８２２により利用され、バンド圧力がプログラムされた、あるいは予め設定された動作範囲であるか否かを判断され、あるいはこうした判断はコントローラ８２６により実施される。圧力値が予め設定された低圧側の限界値より低いと判断されると、コントローラ８２６はモータ８３８を駆動して、センサ８２２により検出されるバンド５１０内の圧力が予め設定された動作範囲内に入るまで（通常は、低圧側限界値より所定値だけ高い圧力になるまで）流体を外側リングリザーバ５１２からチェックバルブ８４６，８４８および充填／排出ライン５１６，５１７を介して内側拡張可能リング５１４へポンプ送出する。
内側拡張可能リング５１４内の流体の圧力値が予め設定された高圧側の限界値より高いと判断されると、コントローラ８２６は、センサ８２２が検出する圧力値が再び所定範囲に入るまで（あるいは高圧側限界値より所定値だけ低い圧力になるまで）、バルブ８４６，８４８を開口して、内側拡張可能リング５１４内の高圧の流体が充填／排出ライン５１６，５１７を介して外側リングリザーバ５１２へ流れるようにして、圧力を（これに伴いリング５１４の大きさ）調節する。
【００５１】
図９は、システム５００，７００，８００と同様の自己制御式胃バンドシステム９００の別の実施形態を図示するものであり、このシステム９００は、胃バンド５１０を有し、バンド５１０の充填ライン５１６内に設けた圧力センサ９２２、アンテナまたは通信部品９２４、制御デバイス９２６、電池９２８およびメモリ９２９を包囲するハウジング９２０を備える。ポンプアセンブリ９３０は、ブリードバルブ９３２がライン５１６，５１７を介して外側リングリザーバと内側拡張可能リング５１４の間に設けられたブリードバルブであって、２つのルーメンまたは部分の間に所望する圧力差が維持されるように作動するものを有する点において、ポンプアセンブリ８３０と類似するものである。ポンプアセンブリ９３０は、ポンプメカニズムのチェックバルブ９４２，９４６の間にポンプ機構を設けた点がポンプアセンブリ８３０とは異なり、このポンプメカニズムは、スクィグルモータ９４０を封止するモータケースからなり、このモータを用いて、ベロー９３６の中を貫通して延びるシャフトによりダイアフラム９３８を駆動または移動させる。このシステム９００の他の動作が、システム８００のものと同様である。
【００５２】
図１０は、図５のシステムと同様に構成された自己制御式胃バンドシステム１０００を概略的に図示するものである。両者のシステムの違い（あるいはシステム１０００に固有の態様）は、センサ１０２２をハウジング１０２０の外側にあって、内側拡張可能リング５１４と充填ライン５１６上のチェックバルブ１０４９との間に配設されている点にある。センサ１０２２は、（無線または有線で）コントローラ１０２６と接続され、センサ１０２２および外部モニタ制御デバイス（図１０では図示せず）で得られたデータをメモリ１０２８に記録するために、アンテナまたは通信部品を介して外部モニタ制御デバイスと通信するように機能するとともに、電池１０２８から（必要に応じて）ポンプアセンブリ１０３０（ひいてはコントローラ１０２６）に電源供給するように機能する。コントローラ１０２６は、センサ１０２２により検出されたバンド特性（ライン５１６およびリング５１４内の流体圧力など）に基づいて流体を内側拡張可能リング５１４に送出または排出することにより、バンド５１０を（下限値および上限値で通常定義される）所望の作動範囲に自動的に維持するために、（これまでに詳述したように）ポンプアセンブリ１０３０を駆動するように構成される。
【００５３】
システム１０００は、ポンプアセンブリ１０３０の構成においてシステム５００と相違する。ポンプアセンブリ１０３０は、（センサで検出されたとき、コントローラ１０２６からの制御信号に基づいて）内側拡張可能リング５１４内のより高圧の流体を外側リングリザーバ５１２へ送出するためのブリードバルブ１０３２を有する。ただしポンプアセンブリ１０３０は、たとえば５ｐｓｉのシンクスのポンプなどのシステム５３０で用いられたものとは異なるポンプ１０３４を有する。ポンプ１０３４は、コントローラ１０２６からの信号に呼応して、体内リザーバ１０３６により起動され、ブリードバルブ１０３２を作動する。このシステムは、単一のポンプ５４０ではなく、複数のポンプ１０４０，１０４２，１０４４，１０４６（５ｐｓｉのシンクスのポンプまたは他の有用なポンプ）がチェックバルブ１０４８，１０４９の間に配設される点において、システム５００と相違する。センサ１０２２がバンド５１０の所望の動作範囲またはプログラムされた圧力範囲の下限値を定義する最小圧力値より低い（規定外に低い）圧力を検出したとき、これらの直列に配置されたポンプ１０４０，１０４２，１０４４，１０４６は、流体を容器５１２から内側拡張可能リング５１４へ送出するように作動する。
【００５４】
図５〜図１０から明らかなように、本発明を具現化するために、数多くの異なるポンプアセンブリ用いることができる。追加的に、自己制御式胃バンドの所望の機能を実現するために他の構成部品を変形することができる。たとえば、図５〜図１０に図示されたシステムは、胃バンドのルーメンまたは内側部分に設けた流体リザーバを有する。いくつかの実施形態では、流体リザーバをポンプハウジング内に配設することが好ましい場合がある。別の事例では、弾力性のある袋（サック）、バルーン、あるいは、ポンプアセンブリによりバンドに送出し、排出する流体を格納する上で有用な他の同様の構造体を配設することにより、流体リザーバ（容器）をポンプハウジングの外側であって胃バンドの外側にある部品として設けてもよい。
【００５５】
いくつかの実施形態では、臨床医または他の技術者が電話回線を介して移植されたバンドを調節することが好ましい。これは、概略、患者の近くにあるローカル（局所）コントローラ、臨床医または他の技術者の近くにあるリモート（遠隔）コントローラを用いて、２つのコントローラを有線または無線の電話回線を介して通信させることにより実現することができる。ローカルコントローラは、遠隔調節可能バンド（Remotely Adjustable Band：ＲＡＢ）の携帯コントローラ（または患者の近くにある固定式のコントローラでもよい）またはＲＨＣとして考えられるものである。ＲＨＣの主たる機能は、移植されたポンプを特定し、移植されたポンプを制御し、プログラムおよびシステム状況の表示を容易とし、遠隔的なダイアルアップ接続によりＲＨＣ機能のアクセスを可能とし、遠隔的なダイアルアップ接続が確立されたとき、すべての機能をウェブページ上での制御を可能とし、そしてコントローラを充電し、（ウェブページおよび／または他のコントローラとアクセスするために）電話通信するクレードル装置との標準的な無線接続を実現するものである。ローカルコントローラまたはＲＨＣは、たとえば図１〜図１０に示すシステムのアンテナを介して通信するために用いることができ、こうしたＲＨＣの利用について、以下に詳細に説明する。
【００５６】
図１１は、ＲＡＢコントローラ１１５０を用いて、移植された（あるいは移植可能な）バンド１１９０の調節を制御する胃バンドシステム１１００の機能ブロック図である。図１２は、ＲＡＢコントローラ１１５０およびクレードル１１００を詳細に図示するものである。図示のように、システム１１００は、ＲＡＢ携帯コントローラまたはＲＨＣ１１５０に対して電話接続および電力を供給するクレードル１１１０を有する。ＲＨＣ１１５０は、無線リンク１１６２を介して転送されたデータを用いて移植されたポンプ１１７０を制御し、接続ライン１１７９を介して出し入れされる流体を制御することにより、胃バンド１１９０の大きさを調節または制御する。この具体例では、流体は、接続ライン１１８１を介して（たとえばポンプアセンブリ１１７０のハウジングの外側にある）外部リザーバ１１８０により供給されるか、あるいは接続ライン１１８５を介して（たとえばバンド１１９０の最初の充填または大きさ決定のための）手動ポート１１８４により供給される。ポンプアセンブリについて上述したように、ポンプアセンブリ１１７０は、遠隔操作回路部１１７２と、メモリ付きコントローラ１１７４と、１つまたはそれ以上の流体圧ポンプ１１７８とを有する。
【００５７】
ＲＨＣ１１５０は、（胃バンドの患者またはシステム１１００の他のオペレータなどの）ユーザがポンプアセンブリ１１７０からのデータ、および電話接続１１１８を介して遠隔的に得られたデータを見て、調節を行い、いくつかの事例ではデータを入力することができるように、ユーザインターフェイス１１５２、ディスプレイ１１５４、およびキーパッド（またはユーザ入力装置）１１６４を有するものとして図示されている。さらにＲＨＣ１１５０は、システムコントローラ１１５６、クレードル１１１０と通信するためのアンテナ付き無線回路部あるいはクレードル接続部１１５８、移植されたポンプアセンブリ１１７０の遠隔操作回路部１１７２と通信するためのインプラント遠隔操作部１１６０、およびＲＨＣ１１５０をクレードル１１１０の外側で使用可能とする電源／電池１１６８を有する。
【００５８】
クレードル１１１０は、電源１１２０およびＲＨＣ充電部１１２６を介して、電源リンク１１５を電源１１０４に設けることにより電源接続１１２８を確立する。より重要なことには、クレードル１１１０は、コントローラ１１１１および電話／データリンク１１１８を有し、電話ジャックまたは他の接続１１０２を介したＲＨＣ１１５０およびポンプアセンブリ１１７０の遠隔制御を支援し、この接続は、無線通信回路部／アンテナ１１１４を介してＲＨＣ１１５０と通信するためのラインインターフェイス１１１２を用いたリンク１１０３である。クレードル１１１０の主たる機能は、ＲＨＣ電池１１６８を充電し、不使用時にＲＨＣ１１５０を格納し、（図１２に示すようないくつかの事例では）インターフェイス１１１２を介したデータアクセスのためにモデムを含む電話／ラインのインターフェイスを提供し、モデムとＲＨＣ１１５０の間の標準的な無線データリンク１１１８を実現してＲＨＣ部品およびポンプアセンブリ１１７０への遠隔操作を可能とし、遠隔ダイアルアップ接続によりＲＨＣ機能にアクセス可能とすることである。
【００５９】
図１３および図１４は、ＲＨＣ１１５０およびクレードル１１１０の１つの有用な実施例を図示するものである。これらの図面は、ＲＨＣ１１５０を容易に取り外し、電源接続部（またはドッキングコネクタ）１１２８を介して充電するためにクレードルに挿入またはドック格納できることを示すものである。電話ライン１１０３は、電源ライン１１０５（１２Ｖ直流ラインなど）と同様、クレードル１１１０に接続されている（あるいは接続可能である）。ユーザインターフェイス１１５２を提供するディスプレイ装置１１５４が、キーパッド１１６４、電源オンオフスイッチまたはボタン１３５６と同様、図示されている。ＲＨＣ１１５０は、数多くの態様で構成することができ、インプラント遠隔操作アクセスアンテナおよび標準的な無線アンテナ１１５６，１１６０を有し、これらは、図１４では、アクセスおよび保全を容易にするために、ＲＨＣ１１５０の本体部またはハウジングの後方面に配置されるように図示されている。図から明らかなように、ＲＨＣ１１５０は、容易に携帯操作できるように、ＲＨＣ１１５０を患者および胃バンド１１９０の近くに配置して、ポンプアセンブリ１１７０内のインプラント遠隔操作回路部１１７２との通信を支援し、ディスプレイ装置１１５４を介したデータの入出力の容易にすることができる。
【００６０】
ここで図１５を参照しながら、移植された胃バンド１１９０を調節するための操作において、システム１１００およびＲＨＣ１１５０の動作上の特徴のいくつかについて議論することは有用なことである。システム１１１０およびＲＨＣ１１５０の有用な特徴は、
（ａ）ＲＨＣ１１５０が制御する移植可能なポンプ１１７０は、電源を自給し、電源をコントローラ１１５０から供給されなくてもよいこと、
（ｂ）移植可能なポンプ１１７０は、（所望の容量ではなくて）所望のバンド圧力が得られるまでバンド１１９０を調節すること、
（ｃ）ＲＨＣ１１５０は、ブルートゥースまたはジグビーなどの標準的な無線インターフェイス１１５８を有し、この無線インターフェイスがＲＨＣ１１５０をＲＡＢクレードル１１１０内の遠隔操作インターフェイス１１１４に接続され、この遠隔操作インターフェイスがインターフェイス１１１２および接続ライン１１０３を介して遠隔のコンピュータまたはコントローラ（図示せず）に接続され、データをダイアルアップアクセスまたは他の通信を可能とし、ＲＨＣ１１５０に対する情報を制御すること、
（ｄ）ＲＨＣ１１５０は、クレードル１１１０および無線インターフェイス１１５８により提供される電話インターフェイスを介して遠隔的なコンピュータからの接続を実現する、コントローラ１１５６により実行されるネットワークソフトウェアを含むこと、
（ｅ）ＲＨＣ１１５０は、ダイアルアップネットワーク接続が電話インターフェイスを介して確立された後に、調節指令を含むＲＨＣ１１５０の全機能に対してウェブによりアクセス可能とする、システムコントローラ１１５６により実行されるウェブサーバを含み、アクセスするコンピュータに対するソフトウェアに特定のアプリケーションをインストールする必要性を排除すること（たとえば、１つの実施形態では、安全インターネットイクスプローラまたは同様の接続が用いられる。）である。
【００６１】
ＲＨＣ１１５０は、以下のノーマル、リモートアクセス、ドッキング、電源停止のハイレベルモードで作動する。図１５は、患者内の胃バンドを遠隔的に調節または制御するノーマルモード（１５００）におけるＲＨＣ１１５０（または胃バンドシステム１１００）の動作を示すものである。このモードにおいて、ＲＨＣの主たる機能は、ＲＡＢの移植可能ポンプ１１７０にアクセスして、これを制御することにある。移植可能ポンプ１１７０に対する無線アクセスは、たとえば４０２〜４０５ＭＨｚの周波数帯域で作動する医療インプラント通信サービス（Medical Implant Communications Service：MICS）帯域を用いて行われる。ＲＨＣ１１５０と移植可能なポンプ１１７０の間の通信プロトコルは、患者のプライバシおよび医療産業に関する規制およびに準拠するものである。図１５に示すフローチャートは、調節を施すための典型的な一連の操作を示す。この調節は、容量を離散的に変化させるのではなく、圧力の変化としての形態として行われるものである。
【００６２】
ノーマル制御モードまたはプロセス１５００において、ステップ１５１０でＲＨＣ１１５０上のボタンまたは移動スイッチ１３５６を押下することなどにより、ＲＨＣ１１５０に電源を入れる。ステップ１５２０で、未承認のユーザがバンド１１９０を調節することがないように、ＲＨＣ１５５０の使用に際してパスワード入力を要求してもよい。ステップ１５３０で、システムコントローラ１１５６によりＲＨＣ１５５０を操作して、ＲＨＣ１５５０内のインプラント遠隔操作部１１６０とポンプアセンブリ１１７０の遠隔操作回路部１１７２との間の通信など、移植されたポンプ１１７０をサーチして特定し、アセンブリ１１７０がＲＨＣ１５５０により特定されたとき、ステップ１５４０でリンク１１６２が確立される。ステップ１５５０で、ＲＨＣ１５５０は、ポンプアセンブリ１１７０のメモリ１１７４に格納されたデータを収集し、表示する。
【００６３】
ステップ１５６０で、ＲＨＣ１５５０は、ユーザインターフェイス１１５２およびディスプレイ装置１１５４を介して、圧力変更入力値を入力するようにプロンプト要求する（すなわち胃バンド１１９０を調節するために胃バンド１１９０内の圧力を変更または修正したいか否かを確認する）。ステップ１５７０で、（たとえばキーパッド１１６４および／またはユーザインターフェイスを介してユーザが入力したときなど）入力値が受領されたとき、圧力変更指令がＲＨＣ１１５０からリンク１１６２を介して移植されたポンプアセンブリ１１７０へ送信される。ステップ１５８０で、ＲＨＣ１５５０は、（たとえば図１〜図１０を参照して詳細説明したように、接続ライン１１７９，１１８１および流体リザーバ１１８０を介して流体を追加または除去するように、コントローラ１１７４によるポンプ１１７８の動作を介して）胃バンド１１９０の圧力を変更し終えたことを示す確認を移植されたポンプアセンブリ１１７０から受信することを待機する。ステップ１５５０での追加的データの収集とともに、あるいはステップ１５６０での確認および入力値の追加的な変更に対するプロンプト要求とともに、このプロセスを続行してもよい。
【００６４】
システム１１００（および図１〜図１０に示すシステム）の革新的特徴は、臨床医が遠隔的にバンドを調節することを可能にする点にある。システム１１００を操作することにより、臨床医または他のオペレータは、オフィスにあるコンピュータから安全にＲＨＣに接続することができる。この接続および制御通信は、臨床医またはオペレータのコンピュータを操作して、クレードル１１１０内の電話モデムまたはリンクを介してＲＡＢシステム１１００にダイアルアップ接続することにより実現される。
【００６５】
１つの実施形態によれば、遠隔アクセスを実現し、ＲＡＢシステムを制御するために以下の事象シーケンスを行う。すなわち、
（ａ）患者はクレードル１１１０を標準的な電話コード１１０３を用いて有効な電話ジャック１１０２に接続する。このとき臨床医は、通常、遠隔アクセスを試みる前にクレードル／ジャックの電話番号を承知している。
（ｂ）臨床医は、標準的なウィンドウズのダイアルアップのネットワークソフトウェアを用いて、ＲＡＢシステム１１００にダイアルする。
（ｃ）クレードル１１１０は、電話インターフェイスおよびモデム回路部１１１２を有し、電話回線１１０３に電話受信信号を検出すると、自動的に「電話を取り」、モデムを起動させる。
（ｄ）クレードル１１１０内のモデム１１１２は、臨床医のコンピュータモデム（図示せず）との接続を確立する。
（ｅ）クレードル１１１０は、モデムまたはインターフェイス１１１４とＲＡＢ携帯コントローラ１１５０との間の無線データリンクを確立し、ネットワークソフトウェア（たとえば、システムコントローラ１１５６および／または無線インターフェイス１１５８で実行されるＴＣＰ／ＩＰスタック）を有する。
（ｆ）ＲＨＣ１１５０は、臨床医のコンピュータとネットワーク接続を確立する。このとき接続は、通常、暗号化され、マイクロソフトのインターネット・イクスプローラの安全な接続などと互換性を有するものである。
（ｇ）臨床医は、自らのコンピュータまたは他の遠隔コントローラにマイクロソフトのインターネット・イクスプローラまたは同様のアプリケーションを起動し、所定のウェブアドレスを用いて、ＲＨＣ１１５０上で作動するアプリケーションに基づいてウェブへアクセスし、ＲＨＣ機能を完全に制御することができる。
（ｈ）臨床医は、適当なアクセスコード（ユーザネームおよび／またはパスワード）を入力した後、通常操作モードで許容されたすべての機能（図１５で示す方法１５００）を実行する。
（ｉ）そして患者またはＲＨＣ１１５０のオペレータは、臨床医による移植されたポンプアセンブリ１１７０の遠隔的な調節／制御を支援するためにどのように処理すべきか、ＲＨＣ画面またはディスプレイ装置上でプロンプト要求される。数多くの場合、無線データリンクは、ブルートゥース、ジグビー、または他の通信プロトコル／技術準拠の内のいずれかである。
【００６６】
操作ドッキングモードは、主として、ＲＨＣ１１５０を充電するために用いられるものである。ただし、予め調節をプログラムし、あるいは患者のデータを収集する目的のために遠隔アクセスできるものであってもよい。操作停止モードでは、ＲＨＣ機能は、電池を充電し、充電をモニタする機能以外は停止される。
【００６７】
図１〜図１５を参照して、自己制御式胃バンドシステムの動作について詳細説明したが、こうしたシステムの実施形態の別の要約を提供することは有用であるかもしれない。移植可能なポンプアセンブリは、移植可能な胃バンドの圧力を非侵襲的に制御可能とする者として提供される。この機能は、通常、図１１〜図１５に示すＲＡＢ携帯コントローラ（RAB Handheld Controller：ＲＨＣ）または他のコントローラから送信される指令に対する応答を含む。移植されたポンプアセンブリおよびその構成部品は、電力自給される（すなわち患者の体外から、または遠隔的に電力供給されるのではなく、電池により局所的に電力供給される。）。
【００６８】
移植された構成部品（すなわち体内バンド調節システム）は、以下の機能部品を有し、すなわち、筐体、外部リザーバ、手動ポート、流体ポンプ（たとえばバーテルの能動バルブ等付き２０ＰＳＩポンプ）、制御回路部（ポンプおよび任意のバルブを制御するためのもの）、アンテナ付き遠隔操作回路部、および電池および電源回路部を有する。ＲＡＢ
移植可能ポンプは、圧電性２０ＰＳＩ（あるいは別の容量）のポンプ、たとえば設計に組み込まれる能動バルブ付きのポンプとして具現化することができる。移植可能なポンプは、長時間移植可能に設計されたカスタム仕様の移植可能な電池により、電力自給型であることが好ましい。ポンプは入口と出口を有する。頑健な設計のために、ポンプ入口に設けたチェックバルブ、およびポンプ出口に設けたチェックバルブは、マイクロチェックバルブなどを用いて、漏れを解消または制御する。圧力解放および圧力均衡のために、このシステムは、圧電性バルブまたは能動バルブなど用いてもよい。このシステムは、流体をリザーバからバンドへ直接的に送出して、バンド圧力を変更する。バンド圧力の解放は個別のサブシステムを用いて実現される。バンド内の圧力の増大は、ポンプを用いて直接的に行われ、バンド内の圧力の減少は、圧力解放した後、適正な圧力値まで再度ポンプ送出することにより実現される。
【００６９】
以下に、バンド調節の２つのモードについて説明する。ノーマル動作において、背圧抵抗が最小３０ｐｓｉのチェックバルブ付き２０ｐｓｉポンプにより、外部リザーバと胃バンドの間の双方向の流れが維持される。たとえば２０ｐｓｉ圧電性ポンプなどのポンプは、バンド内の圧力を増大するためのもので、圧力センサによりモニタされる。圧電性材料の特性により、バンド内の圧力解放に対して流体の流れは可逆的ではない。ポンプが停止すると、バンド内の圧力は維持される。ポンプに一体に組み込まれた、個別に設けられたチェックバルブにより、漏れまたは逆流は生じない。
【００７０】
圧力解放または圧力均衡を実現するために、胃バンド内の圧力解放のために、能動バルブ／流れ方向転換メカニズム、たとえば圧電能動性バルブを用いる。能動バルブが開口すると、バンドとリザーバの圧力が均衡される。圧力均衡が実現されると、能動バルブは閉口する。その後、メインポンプが起動して、胃バンド内の所望の圧力となるまで圧力は増大する。
【００７１】
本発明は、特定のものについてある程度説明し図示してきたが、これらの記載は単なる具体例としてなされたものであることを理解され、当業者ならば、以下にクレームされた本発明の精神および範疇から逸脱することなく、組み合わせおよび構成部品の配置構成において数多くの変更を採用することができるものと理解される。本発明を実施するためには、本発明に係る体内バンド調節システムにより調節される胃バンドは、たとえば図１に示すように胃の外側にあるか、あるいは胃および／または食道の内側に配設または移植され、すなわち本発明により調節される胃バンドは、胃内バンドであってもよい。こうした胃内バンドは図１〜図１０を参照して説明したバンドまたは（下記の引用文献に記載された）別の形態と同一または類似の形態を有していてもよく、たとえば米国特許出願公開第2005/0192601号に記載された数多くの手法で固定および／または移植することができる。
【図面の簡単な説明】
【００７２】
【図１】図１は、本発明に係る自己制御式（すなわち自己モニタ式で自己調節式）胃バンドシステムが患者の体内に装着されたときの様子を示す。
【図２】図２は、バンドのルーメンと流体連通された体内バンド調節システムと内部接続された胃バンドを示し、図１に示すような自己制御式胃バンドシステムで用いられるものである。
【図３】図３は、図２に示すライン３−３で切断したときの胃バンドの断面図であって、胃バンドの内径または大きさを微調整するために用いられる内側の拡張可能なルーメンと、拡張可能ルーメンを拡張時（および収縮時または縮小時）に用いられる流体のための局所リザーバまたは内部リザーバを構成する外側ルーメンとを図示するものである。
【図４】図４は、本発明の１つの実施形態に係る自己制御式胃バンドシステムの機能ブロック図である。
【図５】図５は、本発明の別の実施形態に係る自己制御式胃バンドシステムの概略的および／または機能的なブロック図であって、本発明の自己調節機能を実現するために有用なポンプアセンブリの特定の実施形態を示すものである。
【図６】図６は、本発明に係るポンプアセンブリ、とりわけ図５に示すポンプアセンブリの物理的な実施態様を示す破断斜視図である。
【図７】図７は、本発明の別の実施形態に係る自己制御式胃バンドシステムの図５と同様の概略的なブロック図であり、これは図５のシステムとは異なるポンプアセンブリを用いるものである。
【図８】図８は、本発明のさらに別の実施形態に係る自己制御式胃バンドシステムの図５および図７と同様の概略的なブロック図であり、これは図５および図７のシステムとは異なるポンプアセンブリを用いるものである。
【図９】図９は、本発明のさらに別の実施形態に係る自己制御式胃バンドシステムの図５、図７および図８と同様の概略的なブロック図であり、これは本発明の調節機能を実現する上で有用なものである
【図１０】図１０は、本発明のさらに別の実施形態に係る自己制御式胃バンドシステムの図５、図７、図８および図９と同様の概略的なブロック図であり、これは図５、図７、図８および図９のシステムと比して異なるポンプアセンブリおよびセンサ配置位置を採用するものである。
【図１１】図１１は、本発明に係る自己制御式または自己調節式の胃バンドシステムの機能ブロック図であり、電話リンクを介して、遠隔コントローラまたはサービス（ホームページ上のコントローラまたはサービスなど）と通信する携帯コントローラを用いるものである。
【図１２】図１２は、図１１に示す携帯コントローラおよびクレードルさらに詳細に図示した別の機能ブロック図である。
【図１３】図１３は、図１０および図１１に示すシステムを具現化する、本発明に係る携帯コントローラおよびクレードルの例示的な実施例の斜視図である。
【図１４】図１４は、図１０および図１１に示すシステムを具現化する、本発明に係る携帯コントローラおよびクレードルの例示的な実施例の斜視図である。
【図１５】図１５は、図１０および図１１に示すシステムにおいて、移植可能な胃バンドの大きさを制御するための、胃バンドシステムの通常動作モードのフローチャートを示す。
【符号の説明】
【００７３】
１００：胃バンドシステム、１１０：胃バンド、１１２：充填ライン、１２０：充填／排出ライン、１３０：体内バンド調節システム、１５０：外部モニタ／制御デバイス、１５２：無線通信、１５４：表示部品、１５６：キーパッド、２００：自己制御式胃バンドアセンブリ、２１０：胃バンド、２１２：充填ライン、２１４：ベルト、２１６：バックル部材、２２０：成型シェル、２２２：内側リング、２２４：バルーン、２２６：内部ルーメン、２３０：体内調節システム、３２３：リザーバ、４００：自己制御式胃バンドシステム、４１０：外部モニタ制御デバイス、４１２：表示部品、４１４：入出力部品、４１６：メモリ、４２６：音声データ入力手段、４３０：体内バンド調節システム、４３２：コントローラ、４３４：Ｉ／Ｏ部品、４４２：ポンプアセンブリ、４４６：体内リザーバ、４４８：充填／排出ライン、４５０：センサ、４６０：胃バンド、４７０：外部充填デバイス、４７４：アクセスポート、４７８：充填ライン、５００：自己制御式胃バンドシステム、５１０：胃バンド、５１２：外側リングリザーバ、５１４：内側拡張可能リング、５１６：充填排出ライン、５１７：流体接続ライン、５１８：手動ポート、５２０：ハウジング、５２２：センサ、５２４：アンテナ、５２６：コントローラ、５２８：電源、５２９：メモリ、５３０：ポンプアセンブリ、５３２：ブリードバルブ、５３６：体内リザーバ、５４２，５４６：チェックバルブ、５４０：ポンプ、５１７：ライン、７００：自己制御式胃バンドシステム、７３０：ポンプアセンブリ、７２０：ハウジング、７２２：センサ、７２８：電池、７２６：コントローラ、７３２：ブリードバルブ、７３４：ポンプ、７４０，７４２，７４４：ポンプ、７４６，７４８：チェックバルブ、８００：自己制御式胃バンドシステム、８２０：ハウジング、８２２：圧力センサ、８２４：通信モジュール、８２６：コントローラ、８２８：局所電源、８２９メモリ、８３０：ポンプアセンブリ、８３２：ブリードバルブ、８３４：モータケース、８３６：ベロー、８３８：スクィグルモータ、８４０：シャフト／プランジャ、８４６，８４８：チェックバルブ、９００：自己制御式胃バンドシステム、９２０：ハウジング、９２２：圧力センサ、９２４：アンテナまたは通信部品、９２６：制御デバイス、９２８：電池、９２９：メモリ、９３０：ポンプアセンブリ、９３２：ブリードバルブ、９３６：ベロー、９３８：ダイアフラム、９４２，９４６：チェックバルブ、９４０：スクィグルモータ、１０００：自己制御式胃バンドシステム、１０２０：ハウジング、１０２２：センサ、１０４９：チェックバルブ、１０２６：コントローラ、１０２８：メモリ、１０３０：ポンプアセンブリ、１０３２：ブリードバルブ、１０３４：ポンプ、１０３６：体内リザーバ、１０４０，１０４２，１０４４，１０４６：ポンプ、１０４８，１０４９：チェックバルブ、１１００：胃バンドシステム、１１１０：クレードル、１１５０：ＲＡＢコントローラ（ＲＨＣ）、１１５２：ユーザインターフェイス、１１５４：ディスプレイ、１１５６：システムコントローラ、１１５８：アンテナ付き無線回路部、１１６２：無線リンク、１１６４：キーパッド、１１６８：電源／電池、１１７０：ポンプアセンブリ、１１７２：遠隔操作回路部、１１７４：メモリ付きコントローラ、１１７８：流体圧ポンプ、１１７９：接続ライン、１１９０：胃バンド、１１８０：外部リザーバ、１１８１：接続ライン、１１８４：手動ポート、１１８５：接続ライン、１１９０：バンド。
【図１】
2009522044.tif 000003
【図２】
2009522044.tif 000004
【図３】
2009522044.tif 000005
【図４】
2009522044.tif 000006
【図５】
2009522044.tif 000007
【図６】
2009522044.tif 000008
【図７】
2009522044.tif 000009
【図８】
2009522044.tif 000010
【図９】
2009522044.tif 000011
【図１０】
2009522044.tif 000012
【図１１】
2009522044.tif 000013
【図１２】
2009522044.tif 000014
【図１３】
2009522044.tif 000015
【図１４】
2009522044.tif 000016
【図１５】
2009522044.tif 000017
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
ストーマの大きさを調節するための自己制御式胃バンド装置であって、
患者の体内に配置され、患者の食道および／または胃に係合する胃バンドであって、流体を受容するルーメンを含む拡張可能部品を有する胃バンドと、
患者の体内の胃バンドの近くに配置されたバンド調節アセンブリとを備え、
バンド調節アセンブリは、
胃バンドの特性を検出するセンサと、
拡張可能部品のルーメンと流体連通するポンプアセンブリと、
センサで検出された胃バンドの特性に基づいて、ルーメン内の流体の容量を調節するようにポンプアセンブリを操作するコントローラとを有することを特徴とする装置。
【請求項２】
請求項１に記載の装置であって、
センサは、拡張可能部品のルーメン内の流体の圧力を検出する圧力センサを含むことを特徴とする装置。
【請求項３】
請求項２に記載の装置であって、
コントローラは、検出された流体の圧力が圧力下限値より低くなったとき、ルーメン内の流体の容量を増大させ、検出された流体の圧力が圧力上限値より高くなったとき、ルーメン内の流体の容量を減少させるようにポンプアセンブリを操作することを特徴とする装置。
【請求項４】
請求項３に記載の装置であって、
バンド調節アセンブリが圧力下限値および圧力上限値を記憶するためのメモリを有し、
コントローラまたはセンサが検出された流体の圧力が圧力下限値および圧力上限値の間にあるか否かを判断し、
コントローラは、検出された流体の圧力が圧力下限値および圧力上限値の間の予め設定された値に達したと判断されるまでポンプアセンブリを操作することを特徴とする装置。
【請求項５】
請求項３に記載の装置であって、
患者の外部にあるモニタデバイスからの指令信号を受信するための通信モジュールをさらに有し、
指令信号は新規の圧力下限値または圧力上限値の少なくとも一方であり、コントローラまたはセンサが次に検出される流体の圧力について判断する際に用いられるようにメモリ内に前記新規の圧力下限値または圧力上限値を記憶されることを特徴とする装置。
【請求項６】
請求項５に記載の装置であって、
コントローラは、記憶された圧力下限値または圧力上限値、および胃バンドまたは患者に関する他のデータを含むメモリ内に記憶された情報を収集し、外部モニタデバイスからの要求に応じて、収集された情報を通信モジュールを介して外部モニタデバイスに送信するように操作することを特徴とする装置。
【請求項７】
請求項１に記載の装置であって、
ルーメン内の流体の容量を調節する際に用いられる所定容量の流体を保管するように構成された、患者の体内に移植される流体リザーバをさらに有し、
流体リザーバはポンプアセンブリと流体連通することを特徴とする装置。
【請求項８】
請求項７に記載の装置であって、
流体リザーバは、バンド調節アセンブリに付随する胃バンド内の包囲されたルーメン内に配設されたことを特徴とする装置。
【請求項９】
請求項１に記載の装置であって、
センサは周期的に特性を検出するとともに、コントローラまたは外部モニタデバイスからの制御信号に呼応して特性を検出することを特徴とする装置。
【請求項１０】
請求項１に記載の装置であって、
バンド調節アセンブリのコントローラと通信し、ポンプアセンブリを操作するための指令を送信し、そしてバンド調節アセンブリのコントローラが収集した情報を回収するローカルコントローラをさらに有し、
ローカルコントローラは、指令信号を受信し、収集された情報の少なくとも一部をリモートコントローラ機構へ転送するために、リモートコントローラ機構との通信リンクを形成するように構成されることを特徴とする装置。
【請求項１１】
請求項１０に記載の装置であって、
通信リンクは、無線データ転送リンクであり、
この装置は、無線データ転送リンクを提供する電話システムにリンク接続可能なクレードルをさらに有し、
ローカルコントローラは、無線データ転送リンクおよび電話システムを介して、そしてクレードルを通じてリモートコントローラ機構と通信することを特徴とする装置。
【請求項１２】
自己制御式胃バンド装置であって、
患者の胃に係合し、キャビティを含む拡張可能部品を有する胃バンドであって、キャビティ内の流体量に伴って変化する容量を有する胃バンドと、
拡張可能部品に関連する物理的パラメータを検出する手段と、
キャビティ内の流体の容量を調節するための手段とを備え、
前記調節手段は、検出された物理的パラメータが物理的パラメータの動作範囲から外れたか否かを判断し、外れたと判断した場合には、検出された物理的パラメータが動作範囲内に収まるまで流体の容量を増減させることを特徴とする装置。
【請求項１３】
請求項１２に記載の装置であって、
前記調節手段は、
動作範囲を定義する下限値および上限値、ならびにリセットポイントを記憶するためのメモリと、
物理的パラメータがリセットポイントにほぼ達したことを前記検出手段が検出するまで、拡張可能部品のキャビティ内に追加的な容量の流体をポンプ送出するように選択的に作動するポンプとを有することを特徴とする装置。
【請求項１４】
請求項１３に記載の装置であって、
前記検出手段は、キャビティ内の流体の圧力を検出するように配置された圧力センサを有し、
下限値および上限値、ならびにリセットポイントは、圧力値であることを特徴とする装置。
【請求項１５】
請求項１２に記載の装置であって、
前記調節手段と無線通信して、検出された物理的パラメータを収集し、物理的パラメータの動作範囲を収集し、この動作範囲を変更する手段をさらに有することを特徴とする装置。